(57)【要約】  【課題】隔壁の設計自由度の高くして複数の通路・水路又は多目的空間を構成することが可能なプレキャスト製のボックスカルバートを提供する。  【解決手段】頂版１０ｃ、底版１０ａ及び１対の側壁１０ｂからなるボックスカルバート本体１０と、このボックスカルバート本体１０とは別体をなし、前記頂版１０ｃ及び底版１０ｂの間に介在して内部を間仕切るプレキャスト製の隔壁２０、端部用隔壁２０Ｔとからなるものであって、単体の隔壁２０、端部用隔壁２０Ｔを複数のボックスカルバート本体１０に亘って設けることにより共通の間仕切り耐力壁Ｗとして機能させるようにした。  【選択図】図２
2005188019.tif 000002
【特許請求の範囲】
【請求項１】
頂版、底版及び１対の側壁からなるプレキャスト製のボックスカルバート本体と、このボックスカルバート本体とは別体をなし、前記頂版及び底版の間に介在して内部を間仕切るプレキャスト製の隔壁とからなるものであって、
単体の隔壁を、複数のボックスカルバート本体に亘って設けることにより共通の間仕切り耐力壁として機能させるようにしたことを特徴とするボックスカルバート。
【請求項２】
前記隔壁が複数の柱部と、前記頂版又は底版に接しながら柱部間を接続する梁部とからなる請求項１記載のボックスカルバート。
【請求項３】
前記隔壁が複数の分割片を上下に接続して構成されるものである請求項１又は２記載のボックスカルバート。
【請求項４】
前記隔壁にＰＣ鋼材連結用の凹陥部及びＰＣ鋼材を挿通する貫通孔を設け、
ＰＣ鋼材を用いて前記隔壁を前記ボックスカルバート本体とヒンジ結合或いは剛結合するものである請求項１、２又は３記載のボックスカルバート。
【請求項５】
前記隔壁と接する箇所におけるボックスカルバート本体の部材厚を周辺より厚肉にした請求項４記載のボックスカルバート。
【請求項６】
隔壁同士の結合部をボックスカルバート本体同士の結合部と位相を異ならせて配置する請求項４又は５記載のボックスカルバート。
【発明の詳細な説明】
【技術分野】
【０００１】
本発明は、間仕切り耐力壁を有し、複数の通路、水路又は多目的空間を作り出すボックスカルバートに関するものである。
【背景技術】
【０００２】
従来より、地下施設を構築する際には、外構えとなるボックスカルバート本体の内部に１つ又は複数の隔壁を一体に成形した隔壁一体型をなすプレキャスト製のボックスカルバートを複数連結することにより、複数の通路・水路又は多目的空間を形成する構造物を構築していた。
【０００３】
一方、特許文献１及び図８に示すような、底版ａ、一対の側壁ｂ、ｂ及び頂版ｃにより外構えとして構成されたボックスカルバート本体Ｂの内部空間に隔壁ｄを設け、互いに結合させることによりボックスカルバートＢＣを形成した隔壁分離型のものが提案されている。このものは、上述した従来のものとは異なり、隔壁ｄをボックスカルバート本体Ｂとは別体に設けるとともに、ボックスカルバート本体と隔壁の間を結合する結合方法として非剛結合であるピン結合を採用して、地震時などに発生するせん断力やモーメントに起因して結合部の損傷やボックスカルバート全体の倒壊が生ずることを防止するようにしているものである。
【特許文献１】特開２００２−３３２６８３号公報
【発明の開示】
【発明が解決しようとする課題】
【０００４】
しかしながら、特許文献１に記載された隔壁分離型のボックスカルバートは、隔壁ｄを分離独立させて結合構造に工夫を凝らすという技術的特徴を越えるものではないため、長手方向に対しては従来の隔壁一体型のものと同様に、１体のボックスカルバート本体Ｂに対して隔壁ｄは当然のごとく一体ずつ対応させてある。そして、隔壁ｄは単に内部空間を分割する機能を有するのみではなく、ボックスカルバートＢＣ全体の強度を担保する耐力壁としての役割も担うものであるから、それぞれの隔壁ｄは少なくともその一部がボックスカルバート本体Ｂの底版ａと頂版ｃの間に亘って介在していなくてはならない。そのため例えば、隔壁ｄに開口を設ける等の加工を施そうとしても隔壁ｄを完全に分断して大きな開口を設けることは勿論不可能であり、隔壁ｄを加工できる範囲はそれぞれの隔壁ｄひいてはボックスカルバート本体Ｂの強度を維持できる程度に限定されるので、隔壁ｄの設計自由度は著しく制限されたものとなっている。
【０００５】
本発明は、このような不具合に着目したものであり、隔壁の設計自由度を高くして複数の通路・水路等を含む多目的空間を自由に構成することを可能にするボックスカルバートを提供する。
【課題を解決するための手段】
【０００６】
本発明は、このような目的を達成するために、次のような手段を講じたものである。すなわち、本発明に係るボックスカルバートは、頂版、底版及び１対の側壁からなるプレキャスト製のボックスカルバート本体と、このボックスカルバート本体とは別体をなし、前記頂版及び底版の間に介在して内部を間仕切るプレキャスト製の隔壁とからなるものであって、単体の隔壁を、複数のボックスカルバート本体に亘って設けることにより共通の間仕切り耐力壁として機能させるようにしたことを特徴とする。ここに言う「単体の隔壁」とは、それが複数のボックスカルバート本体に対応していることを意味するものであって、このボックスカルバートを構成する隔壁が１つであることを意味するものではない。
【０００７】
このようなものであれば、外構えを構成するボックスカルバート本体に対して分離・独立して設けられた隔壁はボックスカルバート本体の連結方向への長さに制約を受けなくなるため、ボックスカルバート本体を必要な数だけ単体の隔壁に支持させるべく当該隔壁を然るべき長さに自由に設定することができる。すなわち、本発明により隔壁の設計自由度を有効に向上させることが可能となる。また、隔壁の耐力壁としての機能を損なうことなく複数のボックスカルバート本体に亘るような大きな開口を当該隔壁に設けることも可能になるため、従来にはないゆとり空間を内部に演出することもできるようになる。
【０００８】
隔壁の強度を保ちつつ大きな開口を設ける設計や施工を可能にするためには、前記隔壁が複数の柱部と、前記頂版又は底版に接しながら柱部間を接続する梁部とからなることが望ましい。
【０００９】
また、内高が高く設定されたボックスカルバート本体に適用しても、隔壁の部材質量を抑えて、運搬や施工の便を向上させるためには、前記隔壁が複数の分割片を上下に接続して構成されるものである事が好ましい。
【００１０】
そして、隔壁とボックスカルバート本体を結合して強度を向上させるためには、前記隔壁にＰＣ鋼材連結用の凹陥部及びＰＣ鋼材を挿通する貫通孔を設け、ＰＣ鋼材を用いて前記隔壁を前記ボックスカルバート本体とヒンジ結合或いは剛結合するものであることが望ましい。このようなものであれば、結合して一体化された構造物はＰＣ鋼材を通じて導入されるプレストレスによって補強されるため、部材厚を低減させながらも必要十分の強度を得ることができ、ひいては各部材の部材質量を軽減することが可能となる。また、隔壁とボックスカルバート本体の間の結合構造としては、隔壁に掛かる外力や結合部分における不静定力等に応じて非剛結合であるヒンジ結合又は剛結合を適宜選択することができる。また、大きな断面力が作用する箇所のみを効果的に補強するためには、曲げモーメントが作用する前記隔壁の端部と接する箇所におけるボックスカルバート本体の部材厚を周辺より厚肉にしておくことが好ましい。
【００１１】
さらに、ボックスカルバート本体の継目や隔壁の継目に周辺荷重が直接せん断力として作用することを回避するためには、隔壁同士の結合部をボックスカルバート本体同士の結合部と位相を異ならせて配置して、隔壁・ボックスカルバート本体の双方が互いに荷重を分散支持し合う構造にしておくことが好ましい。
【発明の効果】
【００１２】
上述したように本発明によれば、隔壁は複数のボックスカルバート本体に亘って支持できる構造としていることから、ボックスカルバート本体の連結方向に沿って所要長さの隔壁を採用したり、その隔壁に比較的大きな開口を形成するなど、隔壁の設計自由度を向上させることができる。このため、共同溝や上下線を持つ通路、分流式下水道、あるいは水路・遊歩道併設暗渠等の構築に際し、目的に応じて適切な形態をなす複数の独立空間を自由に形成することが可能となる。
【発明を実施するための最良の形態】
【００１３】
以下、本発明の一実施の形態について図面を参照して説明する。本実施形態に係るボックスカルバート１は図１に示すように、ボックスカルバート本体１０と、間仕切り耐力壁Ｗとして機能する隔壁２０及び端部用隔壁２０Ｔとにより構成されている。詳細には、ボックスカルバート本体１０を縦方向に連結してその内部に空間Ｓを設けるとともに、空間Ｓを間仕切り耐力壁Ｗによって横方向に間仕切る態様としている。間仕切り耐力壁Ｗより仕切られた空間Ｓのうち図示右側の独立空間はその下側に舗装部Ｈを設けて通路空間Ｓ１とするとともに、図示左側の独立空間は水を流すための水路空間Ｓ２としている。
【００１４】
図２に示すように、ボックスカルバート１の外構えを構成するボックスカルバート本体１０は、底版１０ａ、１対の側壁１０ｂ、１０ｂ及び頂版１０ｃからなる四角環状のプレキャストコンクリートブロックである。詳細には、このボックスカルバート本体１０は、コの字状の単体プレキャスト部材である上ブロック１１と下ブロック１２とを上下方向に結合することにより構成されている。また、底版１０ａのうち隔壁２０又は端部用隔壁２０Ｔに接する内面部分と、頂版１０ｃのうち隔壁２０又は端部用隔壁２０Ｔに接する内面部分には、隔壁２０、端部用隔壁２０Ｔ側に迫り出す態様で他の部分より厚みを増した厚肉部１０ａ１及び１０ｃ１をそれぞれ形成している。
【００１５】
間仕切り耐力壁Ｗとして機能する隔壁２０は前記底版１０ａの厚肉部１０ａ１と頂版１０ｃの厚肉部１０ｃ１との間に配され、上下方向に接続された単体プレキャスト部材である上隔壁部材２１及び下隔壁部材２２により構成されている。上隔壁部材２１及び下隔壁部材２２はそれぞれ略上下対称な形状をしており、その前端面及び後端面にグラウトを注入するためのグラウト溝２１ｇ及び２２ｇがそれぞれ設けられている。グラウト溝２１ｇは上隔壁部材２１の上下に亘って設けられた溝であり、グラウト溝２２ｇは下隔壁部材２２の上端においてグラウト溝２１ｇに連通しているとともに、その最下部付近では閉鎖された溝となっている。また、隔壁２０の縦方向、すなわち連結方向の長さはボックスカルバート本体１０の連結方向の長さの約３倍に設定されているとともに、当該隔壁２０は、連結方向に並ぶ一対の柱部２０ａ、２０ａの間を一対の梁部２０ｂ、２０ｂにより接続して内側に開口Ａを設けた構造をなしている。
【００１６】
一方、端部用隔壁２０Ｔは間仕切り耐力壁Ｗの端部に配置されるもので、前記底版１０ａの厚肉部１０ａ１と頂版１０ｃの厚肉部１０ｃ１との間に配され、上下方向に接続された単体プレキャスト部材である上隔壁部材２１Ｔ及び下隔壁部材２２Ｔにより構成されている点、及び柱部２０Ｔａと梁部２０Ｔｂとを有し内側に開口Ａを設けている点は上記隔壁２０と略同様であるが、連結方向の長さをボックスカルバート本体１０の連結方向の長さの約３．５倍と若干長尺にしている点、外部に露出する面をグラウト溝２１ｇ、２２ｇを設けない平坦な端面２１Ｔｅ及び２２Ｔｅとしている点において相違している。
【００１７】
上述した各単体プレキャスト部材、すなわち上ブロック１１、下ブロック１２、上隔壁部材２１、２１Ｔ及び下隔壁部材２２、２２Ｔには、連結方向たる縦方向及び上下方向にそれぞれ破線で示すＰＣ鋼材ｐｃを挿通するための貫通孔ｈや、ＰＣ鋼材ｐｃにテンションを導入し定着するための凹陥部たる縦締定着部ｐ、同じくＰＣ鋼材ｐｃにテンションを導入し定着するための座繰りの如く拡開した上下締定着部ｖ等がそれぞれ設けてある。
【００１８】
図３はＰＣ鋼材ｐｃの導入状態を概念的に図示したものである。前述した貫通孔ｈに、それぞれ破線で示すＰＣ鋼材ｐｃが連結方向たる縦方向及び上下方向にそれぞれ挿通されるとともに、これらのＰＣ鋼材ｐｃが前述した縦締定着部ｐや上下締定着部ｖで緊締されることにより、各単体プレキャスト部材、すなわち上ブロック１１、下ブロック１２、上隔壁部材２１、２１Ｔ及び下隔壁部材２２、２２Ｔがそれぞれ連結方向である縦方向及び上下方向に緊張される。また、緊張された各単体プレキャスト部材がそれぞれ剛結合或いはヒンジ結合されて一体化されることにより、ボックスカルバート１は所謂箱形ラーメン構造物をなす。なお、図３はあくまで概念的なものであって、実際の施工状態を必ずしも忠実に表現したものではない。また、縦締定着部ｐや上下締定着部ｖには使用されない部分も勿論ある。
【００１９】
次に、本実施形態に係るボックスカルバート１の模式的な断面を図４に示す。なお、この図４において、舗装部Ｈの図示を省略している。
【００２０】
間仕切り耐力壁Ｗとして機能するそれぞれ単体の隔壁２０及び端部用隔壁２０Ｔは、連結された４体のボックスカルバート本体１０に亘って設置される。その際、端部用隔壁２０Ｔの端面２１Ｔｅ、２２Ｔｅはボックスカルバート本体１０の端面１０ｅよりもやや内側に位置づけられる。また、隔壁２０及び端部用隔壁２０Ｔのそれぞれの結合部２０ｊとボックスカルバート本体１０同士のそれぞれの結合部１０ｊとが重ならないよう、ボックスカルバート本体１０と隔壁２０及び端部用隔壁２０Ｔとは縦方向たる連結方向に位相を異ならせて配置される。言い換えれば、隔壁２０及び端部用隔壁２０Ｔは、ボックスカルバート本体１０に対してちどり連結がなされる。また、隔壁２０及び端部用隔壁２０Ｔの結合部２０ｊに位置する破線で示したグラウト溝２１ｇ、２２ｇの箇所には図示しないグラウトが流し込まれる。
【００２１】
なお、各単体プレキャスト部材、すなわち上ブロック１１、下ブロック１２、上隔壁部材２１、２１Ｔ及び下隔壁部材２２、２２Ｔの周辺との結合箇所は、シーリング材ｓにより接着される（図２）。
【００２２】
次に、本実施形態に係るボックスカルバート１の施工例について説明する。まず、下ブロック１２を４体連結して設置した後、下隔壁部材２２又は２２Ｔを設置して下ブロック１２と上下締めを行う。次に上隔壁部材２１又は２１Ｔを下隔壁部材２２又は２２Ｔの上に設置して上下締めした後、上ブロック１１を４体設置して連結させ、上下締めを行う。これにより、４体のボックスカルバート本体１０と、１体の隔壁２０又は端部用隔壁２０Ｔとの施工が完了する。本実施形態ではかかる施工工程を基本工程とし、この基本工程を複数回繰り返した後、図示しない舗装部Ｈを設けてボックスカルバート１を完成させる。ここで図８に示した特許文献１を例にとると、ボックスカルバートＢＣはボックスカルバート本体Ｂと隔壁ｄとを、連結・上下締めを頻繁に変更しながら一体ずつ設置・施工しなければならないが、本実施形態に係るボックスカルバート１は上述した施工方法を採用して、１つの基本工程のなかで複数のボックスカルバート本体１０を同時に連結する作業、或いは複数のボックスカルバート本体１０と共通の隔壁２０又は２０Ｔとを多数箇所において上下締めする作業を一括して行うので、施工に係る作業を効率よく進行させることができる。
【００２３】
以上に記したように、本実施形態に係るボックスカルバート１は、ボックスカルバート本体１０の連結方向の寸法と隔壁２０、２０Ｔの同方向の長さとは常に一致するものであるという既成概念から脱却し、１つの隔壁２０、２０Ｔに複数のボックスカルバート本体１０を対応づけるという新たな着想を導入した結果、隔壁２０、２０Ｔの設計自由度を高めたものである。すなわち、単体の隔壁２０を、連結された４体のボックスカルバート本体１０に亘って設けることにより共通の間仕切り耐力壁Ｗとして機能させ、或いは、単体の端部用隔壁２０Ｔを、連結された４体のボックスカルバート本体１０に亘って設けることにより共通の間仕切り耐力壁Ｗとして機能させるという新たな構造を実現して、そして、ボックスカルバート１の強度を損なうことなく、複数のボックスカルバート本体１０に亘る大きな開口Ａを隔壁２０や端部用隔壁２０Ｔに設けることを可能ならしめた点に格段の優位性を有するものである。すなわち、本実施形態によれば従来の地下施設にはない開放された大きなゆとり空間を効果的に演出すること等が容易に可能となる。
【００２４】
また、本実施形態に係るボックスカルバート１は、隔壁２０及び端部用隔壁２０Ｔをボックスカルバート本体１０から分離・独立させているので、プレキャストコンクリートである各部材の質量を抑えて、運搬時及び施工時の吊り下げ作業等の便を向上させることができる。言い換えれば、取り扱いに限界質量のある設備を用いても、従来よりも大型のボックスカルバート１を施工することが可能となる。
【００２５】
具体的構造としては、前記隔壁２０及び端部用隔壁２０Ｔが複数の柱部２０ａ、２０Ｔａと、前記頂版又は底版に接しながら柱部２０ａと柱部２０ａとの間、或いは柱部２０Ｔａと２０Ｔａとの間を接続する梁部２０ｂ、２０Ｔｂとから間仕切り耐力壁Ｗを構成しているので、柱部２０ａ、２０Ｔａの間隔を大きく離して隔壁に大きな開口Ａを設けても、間仕切り耐力壁Ｗは外構えたるボックスカルバート本体１０を支持するに足る強度を得ることが可能となり、設計や施工の容易性も担保しておくことができる。
【００２６】
また、内高が高く設定されているボックスカルバート本体１０に対しても、分割片たる上隔壁部材２１、２１Ｔ及び下隔壁部材２２、２２Ｔの状態で運搬して上下に接続することで前記隔壁２０及び端部用隔壁２０Ｔを施工すれば、それぞれの部材質量を抑えて、上記と同様に運搬や施工の便を向上させることができる。
【００２７】
そして、本実施形態に係るカルバート１は、隔壁２０及び端部用隔壁２０ＴにＰＣ鋼材ｐｃ連結用の凹陥部である縦締定着部ｐ、ＰＣ鋼材ｐｃを挿通する貫通孔ｈ及びＰＣ鋼材ｐｃ連結用の座繰り状をなす上下締定着部ｖを設け、ＰＣ鋼材ｐｃを用いてプレストレスを導入し、更には前記隔壁２０及び端部用隔壁２０Ｔを前記ボックスカルバート本体１０とヒンジ結合或いは剛結合しているので、隔壁２０及び端部用隔壁２０Ｔとボックスカルバート本体１０とを結合、一体化した箱形ラーメン構造物を有効に構成してボックスカルバート１全体の強度を向上させることが可能になる。言い換えれば、結合してできた構造物は、プレストレスの導入や結合部の強度確保により、コンクリート組織の肉厚自体は低減させながらも必要十分の強度を得ることができ、ひいては各部材の部材質量を軽減させることが可能となる。また、隔壁２０及び端部用隔壁２０Ｔとボックスカルバート本体１０との間の結合構造としては、ヒンジ結合或いは剛結合を適宜選択することができるので、隔壁２０及び端部用隔壁２０Ｔに掛かる外力に応じて結合構造を適宜選択することや、各結合部分の不静定力が複雑となることを有効に回避することができる。さらに、曲げモーメントが作用する隔壁２０及び端部用隔壁２０Ｔの結合部２０ｊには局所的に大きな断面力が掛かることとなるが、本実施形態に掛かるボックスカルバート１は、隔壁２０及び端部用隔壁２０Ｔと接する箇所におけるボックスカルバート本体１０の部材厚を周辺より厚肉にした厚肉部１０ａ１及び１０ｃ１を設けているので、大きな断面力が作用する隔壁２０及び端部用隔壁２０Ｔの端部が接する箇所のみを効果的に補強できるものとしている。その一方で、他の箇所の部材厚を相対的に薄肉とすることができるので、ボックスカルバート１を構成する各部材の質量を抑え運搬や施工の便を向上させている。また、隔壁２０及び端部用隔壁２０Ｔの結合部２０ｊがボックスカルバート本体１０同士の結合部１０ｊと位相を異ならせて、所謂ちどり連結によって配置されているので、結合部１０ｊ及び結合部２０ｊに周辺荷重が直接せん断力として作用することを有効に回避して荷重を効果的に分散させることにより、通路方向となる連結方向の外部荷重分散性能を向上させることが可能となる。
【００２８】
なお、本発明に言うボックスカルバートは、必ずしも結合された構造物全体を指称する場合に限らず、１体の隔壁２０又は端部用隔壁２０Ｔと、３体から４体のボックスカルバート本体１０とからなる構造物の一部も、最小単位として本発明のボックスカルバートの概念に含まれるものである。
【００２９】
以上、本発明の一実施形態について説明したが、各部の具体的な構成は、上述した実施形態のみに限定されるものではなく、本発明の趣旨を逸脱しない範囲で種々変形が可能である。
【００３０】
例えば、本発明の他の実施形態に係るボックスカルバート１Ａを図５に模式的に示す。このボックスカルバート１Ａは、上下方向に沿って頂版１０１、一対の側壁１０２、１０２及び底版１０３に４分割されるボックスカルバート本体１００と、分割片たる上隔壁部材２０１、中隔壁部材２０２及び下隔壁部材２０３からなる隔壁２００とから構成され、隔壁２００を間仕切り耐力壁Ｗ１として機能させている。このようなものであれば、各プレキャスト部材の質量を上記実施形態よりもさらに抑えることができ、上述したような運搬時及び施工時の吊り下げ作業等の便をさらに向上させることが可能となる。
【００３１】
また、本発明の他の実施形態に係るボックスカルバート１Ｂを図６に示す。このものは、一体に成形されたボックスカルバート本体１００Ｂと、これとは別異に一体に成形された隔壁２００Ｂとから構成され、隔壁２００Ｂを間仕切り耐力壁Ｗ２として機能させている。このようなものであれば、ボックスカルバート１Ｂを構成するプレキャスト部材の部品点数を削減することができる。
【００３２】
さらに、本発明の他の実施形態に係るボックスカルバート１Ｃを図７に示す。このボックスカルバート１Ｃは、上下方向に沿って頂版１０１Ｃ、一対の側壁１０２Ｃ、１０２Ｃ及び底版１０３Ｃに４分割されるボックスカルバート本体１００Ｃの内部の空間ＳＣに、幅方向に２枚の隔壁２００Ｃ、２００Ｃを設けてそれぞれ間仕切り耐力壁Ｗ３として機能させることにより独立空間Ｓ１Ｃ、Ｓ２Ｃ、Ｓ３Ｃを設けた所謂３連式のものである。このようなものであれば、ボックスカルバート本体１００Ｃを内部より２枚の隔壁２００Ｃ、２００Ｃが支えることにより、ボックスカルバート１Ｃがより大きな外力に耐えるものとすることができるとともに、内部の空間ＳＣを３つの独立空間Ｓ１Ｃ、Ｓ２Ｃ、Ｓ３Ｃに仕切ることにより、それぞれを通路、水路又は多目的空間等に適宜設定して、空間Ｓを多様に構成することが可能である。
【００３３】
このように、本発明に係るボックスカルバートは、外構えとして構成されるボックスカルバート本体の分割する数や隔壁に係る分割片の数、及び隔壁の枚数によって限定されるものではない。
【００３４】
その他、各部の具体的構成についても上記実施形態に限られるものではなく、本発明の趣旨を逸脱しない範囲で種々変形が可能である。
【図面の簡単な説明】
【００３５】
【図１】本発明の一実施形態に係るボックスカルバートを示す斜視図。
【図２】同実施形態に係るボックスカルバートを一部破断、省略して示す斜視図。
【図３】同実施形態に係るボックスカルバートのＰＣ鋼材導入態様を示す構成説明図。
【図４】同実施形態に係るボックスカルバートの連結の態様を示す模式的な断面図。
【図５】本発明の他の実施形態に係るボックスカルバートを示す模式図。
【図６】本発明の他の実施形態に係るボックスカルバートを示す模式図。
【図７】本発明の他の実施形態に係るボックスカルバートを示す模式図。
【図８】従来におけるボックスカルバートを示す模式図。
【符号の説明】
【００３６】
１、１Ａ、１Ｂ、１Ｃ、ＢＣ…プレキャストボックスカルバート（ボックスカルバート）
１０、１００、１００Ｂ、１００Ｃ、Ｂ…ボックスカルバート本体
１０ａ、１０３、１０３Ｃ、ａ…底版
１０ｂ、１０２、１０２Ｃ、ｂ…側壁
１０ｃ、１０１、１０１Ｃ、ｃ…頂版
１０ａ１、１０ｃ１…厚肉部
１０ｊ、２０ｊ…結合部
２０、２０Ｔ、２００、２００Ｂ、ｄ…隔壁（隔壁、端部用隔壁）
２０ａ、２０Ｔａ…柱部
２０ｂ、２０Ｔｂ…梁部
２１、２１Ｔ、２０１…分割片（上隔壁部材）
２０２…分割片（中隔壁部材）
２２、２２Ｔ、２０３…分割片（下隔壁部材）
ｈ  …貫通孔
ｐ  …凹陥部（縦締定着部）
ｖ  …上下締定着部
Ｓ、ＳＣ…空間
Ｓ１…通路空間
Ｓ２…水路空間
Ｗ、Ｗ１、Ｗ２、Ｗ３…間仕切り耐力壁
【図１】
2005188019.tif 000003
【図２】
2005188019.tif 000004
【図３】
2005188019.tif 000005
【図４】
2005188019.tif 000006
【図５】
2005188019.tif 000007
【図６】
2005188019.tif 000008
【図７】
2005188019.tif 000009
【図８】
2005188019.tif 000010